(57)【要約】【課題】潜像担持体の残留電荷により吸着したままとなる転写材の分離を特別な構成を必要とすることなく効率よく行うことができる構成を備えた画像形成装置を提供する。【解決手段】潜像担持体２上に形成された静電潜像を可視像処理するために該潜像担持体２の移動方向上流側および下流側にそれぞれ第１，第２の現像装置５Ａ、５Ｂを備えた第１，第２の作像部Ａ１，Ａ２を選択して形成された単一若しくは多色画像を転写材に転写する転写装置９を備えた画像形成装置１において、上記第１，若しくは第２の作像部Ａ１、Ａ２による画像形成あるいは両作像部を用いた多色画像形成の各画像形成モードのうちで、上記潜像担持体２の移動方向上流側に位置する第１の作像部Ａ１のみを用いた画像形成時には、上記潜像担持体２の移動方向下流側に位置する第２の作像部Ａ２において静電潜像形成行程を省いた画像形成行程を実行することを特徴とする。【選択図】  図３
2004233740.tif 000002
【特許請求の範囲】
【請求項１】
潜像担持体上に形成された静電潜像を可視像処理するために該潜像担持体の移動方向上流側および下流側にそれぞれ第１，第２の現像装置を備えた第１，第２の作像部を選択して形成された単一若しくは多色画像を転写材に転写する転写装置を備えた画像形成装置において、
上記第１，若しくは第２の作像部による画像形成あるいは両作像部を用いた多色画像形成の各画像形成モードのうちで、上記潜像担持体の移動方向上流側に位置する第１の作像部のみを用いた画像形成時には、上記潜像担持体の移動方向下流側に位置する第２の作像部において静電潜像形成行程を省いた画像形成行程を実行することを特徴とする画像形成装置。
【請求項２】
請求項１記載の画像形成装置において、
上記第２の作像部で静電潜像行程を省いた画像形成行程は、上記転写材の種類に応じて設定可能であることを特徴とする画像形成装置。
【請求項３】
請求項１または２記載の画像形成装置において、
上記第１の作像部での画像形成行程および上記第２の作像部での静電潜像形成行程を省いた画像形成行程は、上記潜像担持体の１回の移動過程において実行されることを特徴とする画像形成装置。
【請求項４】
請求項１乃至３のうちの一つに記載の画像形成装置において、
上記第１の作像部に用いられる現像剤の帯電量は上記第２の作像部で用いられる現像剤の帯電量よりも高く設定されていることを特徴とする画像形成装置。
【請求項５】
請求項１乃至４のうちの一つに記載の画像形成装置において、
上記転写材の種類および画像形成モードを入力可能な操作部が入力側に接続され、上記第１，第２の作像部に用いられる画像形成手段の駆動部が出力部に接続された制御部を備え、
該制御部は、画像形成モードが第１の作像部を用いるモードを選択されているときに上記転写材の種類に応じて上記第２の作像部の動作態位を設定可能であることを特徴とする画像形成装置。
【請求項６】
請求項１乃至５のうちの一つに記載の画像形成装置において、
上記第１の作像部と第２の作像部とは異なる色の画像を形成可能であり、第１，第２の作像部で形成された画像は単一の転写装置により転写材に転写可能であることを特徴とする画像形成装置。
【発明の詳細な説明】
【０００１】
【発明の属する技術分野】
本発明は、画像形成装置に関し、さらに詳しくは、転写に用いられる転写材の分離構成に関する。
【０００２】
【従来の技術】
複写機やプリンタあるいはファクシミリ装置や印刷機などの画像形成装置において電子写真法を用いる装置が知られている。この装置においては、潜像担持体上に形成された静電潜像をトナーを含む現像剤を用いて可視像処理し、可視像とされたトナー像を転写紙などに転写して複写物を得る行程が採用されている。  可視像処理に用いられる現像装置には、その方式の一つとして乾式現像剤を用いる現像方式があり、具体的な方法としては、カスケード法や磁気ブラシ法さらにはパウダークラフト法がある。
現像装置に用いられる乾式現像剤としては、一成分系現像剤の他に、トナーとキャリアとを含む二成分系現像剤がある。
【０００３】
近年、ドット再現性の向上や鮮鋭度（シャープ性）の向上などによる高画質化を図る目的でトナーを小粒径化する場合がある。
二成分系現像剤においては、トナー及びキャリアがそれぞれ小粒径化され、キャリアに対するトナーの被覆率を高めてトナー濃度の高い現像剤を使用できるようにして画像濃度を安定させる機能を発揮させることが行われている。
【０００４】
トナー及びキャリアの小粒径化により、粒径が小さくなるほどドット形状のばらつきが少なく、なめらかなハーフトーン画像が得られるくらいに画質が向上することが知られており、また、トナーの重量平均径が小さいほどドット再現性は良くなり、ライン画像などにおける凹凸の減少による解像力や鮮鋭度が高められることも知られている。
【０００５】
ところで、トナーを単純に小粒径化した場合には、トナー重量あたりの帯電量（Ｑ／Ｍ）が高くなる。
上記トナーの重量あたりの帯電量（Ｑ／Ｍ）が高いトナーはキャリア表面に対して静電的に強く吸着することで潜像担持体上の静電潜像が形成されていない箇所、いわゆる非画像部に相当する地肌部に向けた浮遊が少なく、地肌汚れなどを生じない高画質が得られる反面、潜像担持体上に形成された可視像を転写するために用いられる転写材が潜像担持体と対峙した場合にはその転写紙が潜像担持体に吸着されて分離されにくくなる虞がある。この理由は次の通りである。
【０００６】
潜像担持体は、帯電行程後に行われる書き込み行程において画像情報に応じた静電潜像が形成されるが、非画像部に相当する地肌部には地肌電位が残存する。例えば、潜像担持体の材料として有機（ＯＰＣ）系の材料を用いて書き込み走査系により静電潜像の形成する場合には、潜像担持体への帯電極性とトナーの帯電極性とが同極性（−）とされて、いわゆる、反転現像が行われる。この結果、非画像部に相当する地肌部には帯電時での帯電量が維持されることになり、この部分に転写紙が接触すると、転写バイアスがトナーの帯電極性と逆極性であることが原因する分極作用により転写紙が潜像担持体の地肌部に吸着されることになる。
【０００７】
転写材の分離不良に関しては、転写材の材質や使用形態によっても異なり、例えば、普通紙などではさほど分離不良が起こらないものの、リサイクルされた紙などが転写材として用いられる場合には、転写材の抵抗値が異なることが原因して分離性の良いものと悪いものとが発現する場合がある。また、転写材やこれを静電吸着した状態で搬送しながら転写を行うことができる転写ベルトを用いた場合には、転写材あるいは転写ベルトの抵抗値が低いと、電流が流れやすくなることで過剰に電荷が注入されることとなり、これによって、潜像担持体と転写材との間の静電吸着力が強められてしまうことになる。
【０００８】
さらに、転写材の裁断方向や繊維配向性に相当するスキ目の方向によっても分離性が悪くなる場合がある。つまり、繊維配向性が転写材の進行方向に平行する場合には曲げ剛性が比較的強いことが原因して潜像担持体をドラム状とした場合の曲率分離を行いやすいものの、繊維配向性が転写材の移動方向と直交する方向であると上述した曲げ剛性が弱く折れやすいことから曲率分離が困難となる。しかも、製紙の際に例えばロール状に捲装される場合の内側面、つまり、裁断時でのバリなどが発生しやすい面が潜像担持体側に対面していると潜像担持体表面に密着しやすい場合があり、これによっても分離性が悪化する。
【０００９】
転写材やこれの搬送部材である転写ベルト側での原因とは別の理由により転写材の分離性が悪くなる要因として、潜像担持体がドラム状の感光体で構成されているような場合の曲率がある。曲率は転写材の曲げ剛性、いわゆる、腰の強さを利用して曲率分離を行うために重要な条件であるが、単一色のみでなく複数の色画像が形成できる多色画像形成装置とした場合には、潜像担持体の周囲に多数の作像部が設けられることから必然的にドラムの外径寸法が大きくなってしまい、これによって、曲率分離機能が低下することになる。
【００１０】
従来、転写材の分離、曲率分離を行う際の分離性を向上させるための構成として、転写ドラムとこれに対峙して転写ニップ部を構成可能な転写ベルトと転写ベルトが掛け回されて潜像担持体に対向する転写ローラとを備え、転写ローラの表面硬度を転写ドラムの表面硬度よりも高くして転写ドラムに転写ベルトが食い込むように転写ニップ部の形状を転写ドラム側に向けて凸状をなす構成とすることにより、転写ニップ部を通過する転写材を転写ドラム側に向けて押し出した際に転写材の曲げ剛性の強さにより発生する転写材の反り返りによって転写ドラム表面から転写材を分離させるようにした技術が提案されている（例えば、特許文献１）。
【００１１】
【特許文献１】
特開平１１−３４４８７１号公報（段落「００５１」欄、図７）
【００１２】
【発明が解決しようとする課題】
しかし、上記特許文献記載の技術においては、転写ローラと転写ベルトとの関係において形状変化を行わせることが前提となるが、転写ローラに代えて潜像担持体を対象とした場合では、潜像担持体が一般に金属材料を基材として用いることから形状変化は事実上不可能であり、結果として、潜像担持体に吸着した転写材を形状変化により分離することはできない。しかも、潜像担持体の表面形状を変化させることは感光層に余計な負荷を掛けることに繋がり、耐久性及び寿命が短くなることから、ランニングコストが上昇してしまう虞もある。
【００１３】
本発明の目的は、上記従来の転写材分離機構における問題に鑑み、潜像担持体の残留電荷により吸着したままとなる転写材の分離を特別な構成を必要とすることなく転写行程実行時に確実に行うことができる構成を備えた画像形成装置を提供することにある。
【００１４】
【課題を解決するための手段】
請求項１記載の発明は、潜像担持体上に形成された静電潜像を可視像処理するために該潜像担持体の移動方向上流側および下流側にそれぞれ第１，第２の現像装置を備えた第１，第２の作像部を選択して形成された単一若しくは多色画像を転写材に転写する転写装置を備えた画像形成装置において、上記第１，若しくは第２の作像部による画像形成あるいは両作像部を用いた多色画像形成の各画像形成モードのうちで、上記潜像担持体の移動方向上流側に位置する第１の作像部のみを用いた画像形成時には、上記潜像担持体の移動方向下流側に位置する第２の作像部において静電潜像形成行程を省いた画像形成行程を実行することを特徴としている。
【００１５】
請求項２記載の発明は、請求項１記載の発明に加えて、上記第２の作像部で静電潜像行程を省いた画像形成行程は、上記転写材の種類に応じて設定可能であることを特徴としている。
【００１６】
請求項３記載の発明は、請求項１または２記載の発明に加えて、上記第１の作像部での画像形成行程および上記第２の作像部での静電潜像形成行程を省いた画像形成行程は、上記潜像担持体の１回の移動過程において実行されることを特徴としている。
【００１７】
請求項４記載の発明は、請求項１乃至３のうちの一つに記載の発明に加えて、上記第１の作像部に用いられる現像剤の帯電量は上記第２の作像部で用いられる現像剤の帯電量よりも高く設定されていることを特徴としている。
【００１８】
請求項５記載の発明は、請求項１乃至４のうちの一つに記載の発明に加えて、上記転写材の種類および画像形成モードを入力可能な操作部が入力側に接続され、上記第１，第２の作像部に用いられる画像形成手段の駆動部が出力部に接続された制御部を備え、該制御部は、画像形成モードが第１の作像部を用いるモードを選択されているときに上記転写材の種類に応じて上記第２の作像部の動作態位を設定可能であることを特徴としている。
【００１９】
請求項６記載の発明は、請求項１乃至５のうちの一つに記載の発明に加えて、上記第１の作像部と第２の作像部とは異なる色の画像を形成可能であり、第１，第２の作像部で形成された画像は単一の転写装置により転写材に転写可能であることを特徴としている。
【００２０】
【発明の実施の形態】
以下、図面により本発明の実施の形態を説明する。
図１は、本発明の実施形態を説明するための画像形成装置を示しており、同図に示された画像形成装置１は、黒色と赤色との２色の画像を潜像担持体の１移動過程において形成できる構成を備えている。
【００２１】
図１において画像形成装置１には、潜像担持体としてドラム状感光体２が用いられており、ドラム状感光体２は、図示しない駆動装置により矢印で示す方向に回転（移動）できるようになっている。
ドラム状感光体２の周囲には、回転方向（移動方向）に沿って第１の作像部Ａ１および第２の作像部Ａ２がそれぞれ設けられており、第１の作像部Ａ１は、ドラム状感光体２の回転方向において第２の作像部Ａ２よりも上流側に位置し、第２の作像部Ａ２は第１の作像部Ａ１よりもドラム状感光体２の回転方向下流側に位置している。
【００２２】
第１の作像部Ａ１には、ドラム状感光体２の回転過程において画像形成処理を実行するための帯電装置３Ａ、書き込み装置４Ａ、黒色の可視像処理を行う現像装置５Ａ（図１では、黒現像装置と表示してある）が備えられ、第２の作像部Ａ２には、同じく画像形成処理を実行するための帯電装置３Ｂ、書き込み装置４Ｂ、赤色の可視像処理を行う現像装置５Ｂ（図１では、赤現像装置と表示してある）および画像転写後のドラム状感光体２をクリーニングするクリーニング装置６が備えられている。なお、図１においては、第１、第２の作像部Ａ１，Ａ２に用いられる画像形成手段としての帯電装置、書き込み装置を、第１，第２の番号付けをして各表示してある。なお、図１において符号７は画像濃度検知センサであり、符号８は転写後にドラム状感光体２表面から図示しない定着装置に向けて転写材としての記録シートＳを導入するための剥離爪を示している。クリーニング装置６には、ドラム状感光体２の表面に残留するトナーを回収するクリーニングブラシ６Ａおよびクリーニングブレード６Ｂ、そしてドラム状感光体２の残留電荷を除去する除電光源用のＬＥＤ６Ｃが備えられている。
【００２３】
第１，第２の各作像部Ａ１，Ａ２に用いられる帯電装置３Ａ、３Ｂはスコロトロン方式の構成が用いられてドラム状感光体２を負極性に帯電するようになっており、書き込み装置４Ａ、４Ｂは、図示しないレーザ光源からのレーザ光により画像情報に応じた画像部の電荷を消去するようになっている。このため、ドラム状感光体２における非画像部に相当する地肌部には、帯電装置３Ａ、３Ｂの帯電による電荷が残存している。
【００２４】
書き込み走査により画像情報に応じてドラム状感光体２に形成された静電潜像を可視像処理する現像装置は、第１の作像部Ａ１において黒色の可視像とされ、第２の作像部Ａ２において赤色の可視像とされる。
本実施形態では、第１の作像部Ａ１での現像装置５Ａがトナーとキャリアとを混合した二成分系現像剤を用いた磁気ブラシ現像装置で構成され、第２の作像部Ａ２での現像装置がキャリアを含まない一成分系現像剤を用いた非磁性非接触型現像装置で構成されている。
【００２５】
第１の作像部Ａ１での現像装置５Ａにおいて用いられる現像剤は、５０μｍのキャリアと粒径が６．８μｍで帯電量が−４０〜−６０μＣ／ｇに設定されてトナー濃度が４〜６ｗｔ％に設定された黒色の二成分系現像剤が用いられ、第２の作像部Ａ２での現像装置５Ｂにおいて用いられる現像剤は、粒径が１１．５μｍで帯電量が−７〜−２０μＣ／ｇに設定された赤色の一成分系トナーが用いられ、第１の作像部Ａ１に装備されている現像装置５Ａで用いられる現像剤よりも粒径が小さいことも一つの要因として帯電量が弱い関係とされている。
【００２６】
一方、第１，第２の各作像部Ａ１，Ａ２において可視像処理された画像は、転写装置９によって吸着搬送される転写材としての記録シートＳに転写されるようになっている。
転写装置９は、一対のローラ９Ａ１，９Ａ２に掛け回された転写ベルト９Ａを備えており、転写ベルト９Ａの裏面から現像剤中のトナーの帯電極性（負極）と逆極性（正極）の転写バイアスが印加されることによりドラム状感光体２に担持されている画像、つまりトナーを記録シートＳに静電転写するようになっている。
記録シートＳは、図示しないカセットを含む給送装置から繰り出されて転写ベルト９Ａに達すると、転写バイアスによる転写ベルト９Ａの帯電を利用して静電吸着された状態で搬送される。
【００２７】
第１，第２の作像部Ａ１，Ａ２の稼働状態は、図２に示す制御部１０によって選択設定されるようになっている。
図２において制御部１０は、各作像部での画像形成行程をシーケンス制御する部分であり、入力側には画像形成モードおよび，転写材としての記録シートＳの種類を入力可能な操作パネル１１および現像剤の濃度制御を行うための画像濃度検知センサ７をはじめとする各種のセンサ類（図２では、便宜上、画像濃度センサの符号７を付けてある）が接続され、出力側には、第１，第２の作像部に装備されて画像形成に係る各装置および記録シートの搬送手段（図示されず）さらには、転写装置９そして定着装置（図示されず）の駆動制御を行う画像形成処理用駆動部１２が接続されている。
【００２８】
操作パネル１１では、黒あるいは赤のみというような単一色の画像形成および両方の色を用いる多色画像形成の各形成モードの選択指令と、記録シートＳが特殊な場合にその内容を指令することができるようになっている。
この場合の特殊な記録シートＳとは、曲げ剛性が低く、いわゆる腰の弱い記録シートや薄紙などの厚さの薄いシートあるいは抵抗値が低い再生シートなどが相当しており、これ以外の記録シート、例えば、新規に用いられる普通紙などは通常シートとして扱われる。
【００２９】
制御部１０では、操作パネル１１からの指令内容に応じて第１，第２の作像部Ａ１，Ａ２の稼働状態を設定するようになっており、その稼働状態は次の通りである。
（１）黒色画像のみの場合には、黒色画像形成のために第１の作像部Ａ１での帯電、書き込み、現像を行うと共に、ドラム状感光体２の回転過程において黒色画像形成に引き続いて第２の作像部Ａ２において書き込み行程、つまり静電潜像形成行程を省いた画像形成行程を実行する。この場合の第２の作像部で実行される画像形成行程とは、帯電および現像の各行程である。この場合での第２の作像部Ａ２における現像バイアスは、第２の作像部での帯電が行われることを踏まえて、黒色トナーを対象とする現像バイアスよりも高く設定される。
（２）赤色画像のみの場合には、赤色画像形成のために第２の作像部Ａ２での帯電、書き込み、現像を行い、第１の作像部Ａ１は非稼働状態に維持する。
（３）黒、赤両方の色画像を形成する場合には、第１の作像部Ａ１での帯電、書き込み、現像を行うと共にドラム状感光体２の回転過程において黒色画像形成に引き続いて第２の作像部Ａ２においても帯電、書き込み、現像を行う。
（１）に挙げた稼働状態は、操作パネル１１において記録シートＳが特殊なものを用いる場合を指令された場合であり、普通紙などの記録シートが用いられる場合には、黒色画像のみの場合でいうと、第１の作像部Ａ１での帯電、書き込み、現像が行われ、第２の作像部が非稼働状態に維持される。
図１に示す状態は（３）の場合を示しており、転写装置９においては、ドラム状感光体２に形成されている黒色および赤色の画像が順次記録シートＳに転写されている。
【００３０】
本実施形態は以上のような構成であるから、制御部１０の作用を説明すると、図３のフローチャートに示すとおりである。
図３において、制御部１０では、画像形成開始指令がいわゆる、スタートスイッチなどにより設定されると、画像形成モード（図３では、便宜上、コピーモードと表現している）の判別が行われ（ＳＴ１）、黒色画像形成モードが選択されている場合には特殊な転写材（図３では、便宜上、特殊紙と表現している）であるかどうか判別される（ＳＴ２）。
ステップＳＴ１およびＳＴ２における判別結果が、黒色画像形成モードでなく、特殊な転写材を用いるモードでない場合には、指定モード、この場合には、赤色画像のみの場合あるいは、黒、赤両方の色画像を形成するために、第２の作像部Ａ２のみによる画像形成行程あるいはドラム状感光体２の回転過程において第１，第２の作像部Ａ１，Ａ２を用いた画像形成行程（図３では、便宜上、通常の画像形成行程と表現している）が実行される。（ＳＴ３）。
【００３１】
一方、ステップＳＴ１あるいはステップＳＴ２において、黒色画像のみの画像形成モードあるいは特殊な転写材を用いるモードを指定された場合には、上述した（１）の手順が実行される。
このモードにおいては、まず、ドラム状感光体２が第１の作像部Ａ１により帯電、書き込みおよび現像の各行程を実行され（ＳＴ４）、次いで、ドラム状感光体２の回転過程において第１の作像部Ａ１での画像形成に引き続き第２の作像部Ａ２において静電潜像形成行程、つまり、書き込み行程（図３では、便宜上、第２露光と表現してある）が省かれて、一様な帯電および現像行程が実行される（ＳＴ５）。
【００３２】
第２の作像部Ａ２で一様な帯電が実行されると、第１の作像部Ａ１で非画像部とされた地肌部にも帯電電荷が生起され、現像によりこの部分に第１の作像部Ａ１での現像剤よりも帯電量の弱いあるいは逆極性が多いトナーが現像バイアスを利用して押し付けられることにより付着する。第１の作像部Ａ１で用いられたトナーは帯電量が高いことで画像部に集中して付着し、非画像部には付着しない状態が得られ、この状態で非画像部に帯電量が第１の作像部Ａ１でのトナーよりも低くあるいは逆極性が多いトナーが第１の作像部Ａ１からのトナーとの間で反撥が少ない非画像部である地肌部に付着される。
【００３３】
ドラム状感光体２において第１の作像部での画像形成により非画像部とされた地肌部にトナーが付着すると、地肌部ではドラム状感光体２の表面と転写材である記録シートＳとの直接接触ができない状態とされる。これにより、直接接触した際に静電吸着力が作用することでドラム状感光体２の地肌部に記録シートＳが貼り付くのを抑制することができる。しかも、地肌部では帯電電荷が第２の作像部Ａ２からの現像剤であるトナーの付着に費やされる（地肌電荷の極性（−）に対して吸着する際にはトナーの極性が逆（＋）となる関係と見なせる）ことで記録シートＳに対する吸着力が弱められることになり、これにより、記録シートＳがドラム状感光体２から分離されやすい状態とされる。
【００３４】
ステップＳＴ５が実行されると、転写装置９の転写ベルト９Ａに吸着されて搬送される記録シートＳに対して第１の作像部Ａ１で形成された画像が転写される（ＳＴ６）。
転写の際には、ドラム状感光体２の地肌部に付着することでトナーが地肌部とは逆極性の関係に相当していることにより転写バイアスとは同極性の関係となるので、記録シートＳ側に転移することがない、これにより、記録シートＳに不用意に転写されてしまった場合に発生する記録シートＳの地汚れが防止された状態で第１の作像部Ａ１で形成された画像のみが転写されることになる。
【００３５】
転写が終了すると、記録紙Ｓは定着装置により画像の定着を受けて排出（図３では、便宜上、排紙と表現している）され、ドラム状感光体２がクリーニング装置６によって残留トナーおよび残留電荷が除去されて次の画像形成に備えられる（ＳＴ７）。
【００３６】
本実施形態においては、ドラム状感光体２の地肌部に敢えて地肌汚れとなるトナーの付着させるだけで地肌部への転写材の直接接触を解消させて地肌部の電荷による吸着作用を阻止するという簡単な構成を用いて転写材の貼り付きがない状態を維持することができる。特に、転写材の搬送部材である転写ベルト側およびドラム状感光体への負荷増加を招くような構成を要することがないので、ドラム状感光体２の耐久性低下やランニングコストの上昇を抑えることができる。なお、本実施形態では、転写材として用いられる記録シートが特注な場合、つまり、曲げ剛性が弱かったり抵抗値が低い場合などが該当する分離性の悪い場合を対象として（１）に挙げた手順を実行しているが、特殊な記録シートに限定されるものではない。ただ、この特殊という条件とすることにより、単一色の画像形成に要する時間が多少長くなることもあり、高速化の面では不利となることから、上述した条件のみを対象とすることで、特別な画像形成モードでは所要時間が他のモードとは異なる特別なものとなることを意識させるようにしている。
【００３７】
【発明の効果】
請求項１，３および４記載の発明によれば、潜像担持体の移動方向上流側に位置する第１の作像部のみを用いた画像形成時には上記移動方向下流側に位置する第２の作像部において静電潜像形成行程を省いた画像形成行程が第２の作像部での画像形成に連続して実行されることにより潜像担持体の非画像部にも現像剤が付着した状態となる。これにより、第１の作像部に用いられる現像剤よりも低い帯電量を持つ弱帯電トナーと潜像担持体側の非画像部の電荷が弱帯電トナーの吸着に費やされることとなり、転写材の吸着力が弱められて転写材が潜像担持体に吸着しやすい状態を解消される。しかも、潜像担持体の地肌部と転写材との間には第２の作像部において吸着されたトナーが存在していることで転写材が直接地肌部に接触することがないようにされる。この結果、多色画像形成ために装備されている既存構成を用いるだけで何ら特別な分離構造を要することなく転写材が潜像担持体に貼り付く現象が抑制されて分離性を向上させることが可能となる。
【００３８】
請求項２記載の発明によれば、第１の作像部のみを用いた画像形成時に第２の作像部での静電潜像形行程を省いた画像形成行程が転写材の種類に応じて実行されるので、特殊な材質や曲げ剛性の低い材質からなる転写材を用いた場合の潜像担持体に対する転写材の貼り付きを抑制して分離性を向上させることが可能となる。
【００３９】
請求項５記載の発明によれば、転写材の種類および画像形成モードに応じて制御部により各作像部の選択動作が実行できるので、転写材において潜像担持体に貼り付きやすいものが用いられても、潜像担持体側での帯電状態が転写材の吸着を弱める状態とすることができ、これにより転写材の種類に関係なく転写材の分離性を高めることが可能となる。
【００４０】
請求項６記載の発明によれば、第１，第２の作像部で形成された画像は単一の転写装置により転写材に転写されるようになっているので、第１，第２の各作像部で形成された画像転写の際に転写特性を変更する必要がないので、第１の作像部のみで画像形成する際の第２の作像部で潜像担持体に付着させられたトナーは第１の作像部で形成された画像中のトナーよりも帯電量が低いことにより静電吸着力も小さいことを利用して転写材への転写が行われないようにできる。これにより、転写材の分離性を高めるために用いられた第２の作像部での現像剤が転写材に不用意に転写されることがなく、現像剤を用いながらも転写材の汚損を生じることなく分離性を高めることが可能となる。
【図面の簡単な説明】
【図１】本発明の実施形態に係る実施例による画像形成装置を示す模式図である。
【図２】図１に示した画像形成装置における制御部の構成を説明するためのブロック図である。
【図３】図２に示した制御部の作用を説明するためのフローチャートである。
【符号の説明】
１  画像形成装置
２  ドラム状感光体
３Ａ、３Ｂ  帯電装置
４Ａ、４Ｂ  書き込み装置
５Ａ、５Ｂ  現像装置
９  転写装置
１０  制御部
１１  操作パネル
１２  画像形成処理用駆動部
Ａ１  第１の作像部
Ａ２  第２の作像部
Ｓ  記録シート
【図１】
2004233740.tif 000003
【図２】
2004233740.tif 000004
【図３】
2004233740.tif 000005